(57)【要約】【課題】  画面内の警告以外の文字やGUIに対して、表示の見えやすさの優先度を個々に設定することができる。【解決手段】  画像信号を表示する表示手段を備える  表示手段は、画像信号と文字及び絵文字を表示する画像信号と表示文字情報とをミックスするミックス手段を複数備える  複数のミックス手段は、それぞれ画像情報と表示文字情報とのミックスの方法が異なる  ミックスの方法が異なることによって、画像情報と表示文字情報の見え方の優先度が異なる  ユーザーが各表示毎のミックス方法を選択する手段を備える  各表示毎の選択情報が記憶できる記憶手段を備える表示文字情報で、ユーザーがミックス方法を禁止する手段を設ける【選択図】  図１
2008009736.tif 000002
【特許請求の範囲】
【請求項１】
映像情報を表示する表示画面装置であって、表示画面中に一つの意味を持つ表示文字群及び、GUIの情報を表示することで使用者が設定した装置の設定状態や、装置の動作状態を確認できる機能を備え、表示画面中に表示される前述の表示文字群およびGUIの表示状態を、使用者が前記装置の状態を設定する操作の中に、前記表示状態を設定可能なこと特徴とする表示装置。
【請求項２】
映像情報を表示する表示画面装置であって、表示画面中に一つの意味を持つ表示文字群及び、GUIの情報を表示することで使用者が設定した装置の設定状態や、装置の動作状態を確認できる機能を備え、表示画面中に表示される前述の表示文字群およびGUIの表示状態を、使用者が、それぞれ独立して、前記表示状態を設定することができる手段を備えたことを特徴とする表示装置。
【請求項３】
前記表示状態とは、表示文字及びGUIの大きさ、色、輝度レベル、透かし、縁の有無、位置、表示なしを含むことを特徴とする請求項１、２記載の表示装置。
【請求項４】
前記表示文字群およびGUIの中に、使用者が自由に設定できない表示を含むことを特徴とする前記請求項1、２記載の表示装置。
【発明の詳細な説明】
【技術分野】
【０００１】
本発明は、液晶パネルなどに映像を表示する記録再生装置、例えば、デジタルカメラやデジタルビデオカメラなどの設定状態や動作状態を示す文字群やGUI表示が、本来記録しようとしている映像情報を見やすくする表示を実現する手法に関する。
【背景技術】
【０００２】
従来の表示技術には、映像情報の上に重ねて文字を表示した時に見やすくするための工夫を施したものがある（例えば、特許文献１参照。）。
【０００３】
これは、表示する文字の背景にあたる映像情報を考慮した画像処理を施したもので、文字の識別性向上と映像画質の低下を防ぐものである。
【特許文献１】特開２００５−１５９９５５号公報
【発明の開示】
【発明が解決しようとする課題】
【０００４】
従来技術では、例えばデジタルカメラやビデオカメラの場合に表示装置として用いられる液晶パネルに、その設定状態や動作状態を絵文字や文字で表示した場合に表示される絵文字や文字は見やすくなると考えて差し支えない。しかしながら、このメカニズムでは、表示文字の色相や輝度レベルを背景の画像から分析して見えやすくするための処理を行っているため、設定や動作を表す文字群やGUI、記号などの色が変わってしまう。先述したデジタルカメラやビデオカメラでは、特に映像への集中度が高く、絵文字や文字、記号は、時々確認する程度か警告のように、映像に集中していても気付かせるための表示もある。しかもそれらは、絵文字で代表されるように、文字を読むという行為よりも、形、位置、色を見て、その意味を伝えようとしているため、輝度や色相、あるいは表示位置を固定する必要がある。
【課題を解決するための手段】
【０００５】
請求項１では、表示する文字群やGUIの表示状態を設定する設定画面、設定画面において設定した状態を記憶しておくメモリー、メモリーの内容に従って映像情報と文字群やGUIを映像信号と合成する合成手段を備える。前記映像信号との前記合成手段として、前記映像情報と前記表示文字情報とをすげ替える第一の合成手段と前記映像情報と前記表示文字情報の平均値を合成値とする第二の合成手段、表示状態を設定するための設定画面は、機器の表示されている内容の設定画面に付加して表示の仕方を設定する手段を備える。
【０００６】
請求項２では、請求項１同様な表示の設定を、表示されている文字群やGUI単位で選択し、その表示状態を設定する手段を備える。
【発明の効果】
【０００７】
本発明の表示装置によれば、映像情報に合成される表示文字やGUIが、背景となる映像情報の信号に応じて、使用者が、必要とする情報を示す絵文字や文字を優先的に視覚に訴えることができる設定により、見落とすことなく情報を収集することができる。逆に使用者が必要としない情報によって映像情報を見にくくしてしまう問題から回避できる。
【０００８】
また、使用者が望むと望まざるとに関係なく、機械の状態を最優先で警告するような文字群やGUI に対しては、表示状態を変更することを禁止し、機器の異常状態を確実に知らせることが可能になる。さらに、使用者が設定を変えない項目等は、その状態の表示は意味を持たないことから、表示しない状態も設定できるような選択肢も設けることによって、映像画面を見やすくする効果も得られる。
【発明を実施するための最良の形態】
【０００９】
（実施例１）
本発明による表示装置の第一の実施例を説明する。図１は、本発明の表示装置の構成を示す図で、１は画像データ、２は、第一の合成手段、３は、第二に合成手段、４は、表示ドライバー、５は、表示パネル、６は、制御マイコン、７は、文字GUIデータを記憶しておく第一のメモリー、８は、表示位置データを記憶しておく第二のメモリー、９は、明るさ、色データを記憶しておく第三のメモリー、１０は、ユーザーインターフェースである設定ダイアルと設定ボタンを示す。
【００１０】
この構成において、１の映像情報からのデータと前記７，８，９の文字、GUI情報と２の第一の合成手段で合成するか、３の第二の合成手段で合成するかを６のマイコンが選択する。２の第一の合成手段は、映像情報と文字、GUI情報とをすげ替える合成方法を取るように設定し、３の第二の合成手段は、映像情報と文字、GUI情報との平均値合成する合成方法を取るように設定しておく。文字、GUI情報と第一か第二の合成手段で映像情報と合成された信号は、４のドライバーに入力されて、５の表示パネルで表示される。この時、映像情報に加えて、文字、GUI情報が重畳された形となる。
【００１１】
次にその合成される信号について詳細を述べる。図６は、テレビ映像信号の走査線の一本を表したもので、図中１０で示されるペデスタルレベル、１１で示される水平同期信号（Hシンク）である。縦軸は、輝度（Y）レベルを示し、一走査線上で、左側から輝度レベルが階段状に変化している。この変化は、図４９の輝度レベル表で、９段階の輝度レベルを持った信号になっている。図７は、図６で示した一本の走査線が連続した場合の画像を示したもので、階段状の高さが高いほど明るく、９段階に明るさが変化した映像となる。図８は、水平同期信号から時刻ｔ１後に図４９の輝度レベル１０の輝度の信号がある場合の波形である。この波形を文字情報の信号と考え、映像信号を前述の図６の信号とした場合に、前記第一の合成手段２で合成した信号を図９に示し、その時の表示画面の状態は、図１０に示す。図１０からわかるように、図８の信号が元の映像信号にすげ替えられた形の波形となり、左から３番目の明るさの部分に、文字情報に相当する輝度レベル１０が確認できる。
【００１２】
次に、３の第二の合成手段で、前述した図８の信号と図９の信号を合成した場合の波形を図１1に示し、その場合の画像の様子を図１２に示す。第二の合成手段では、輝度レベルを２つの平均値で合成するため、図８の輝度レベル“１０”と図６の輝度レベル“７”との平均値“８．５”となる。
【００１３】
図６の階段状の輝度レベル信号と様々な輝度レベルとの合成した例を図１３に示す。この図は、輝度レベルが上から  １０、９、８と一つずつ下がり最下部は輝度レベル１となるような横に９列の長方形状の信号とを合成した場合の図である。図からわかるように、下地の図６の信号の輝度レベルと長方形状の信号の輝度レベルの差が少なくなると見えにくくなっているのがわかり、全く同じ輝度の場合は、見えなくなってしまう。
【００１４】
そこで、前述の長方形状の信号の周りに輝度レベル０の信号で、縁取りをした信号との合成したものを図１４に示す。図からわかるように、下地の図６の信号と輝度レベルが一致した場所においても、縁取りがあるため、識別性がかなり向上している。
【００１５】
さらに、アルファベットの“A”という文字を輝度レベル１０とし、そのまわりに長方形の色を付けた状態にした信号の場合を示すが、この場合は、どの輝度レベルとの合成においても、見えにくくなることがなく、識別度は高い。
【００１６】
次に、３の第二の合成手段で合成した場合を図１６に示す。図１３に対してさらに、長方形の識別度が落ちて、目立たなくなっていることがわかる。
【００１７】
以上説明したように、映像信号に文字に相当する信号を合成する場合に、一番識別度が高かったのは図１５の文字の周りに色を付けた状態で、順に縁取りをした図１４、その次は、図１３の状態で、以上はいずれも第一の合成手段を用いた場合で、最も識別度が低かったのが、図１６の第二の合成手段を用いた場合であり、その状態を図１７に示す。
【００１８】
次に表示する文字情報について説明する。図２は文字を表現するためのマトリクスを示すもので、図の場合は、X軸に１１、Y軸に４７の枠を持っている。この枠取りで、文字“１”を表現する場合を図３に示す。この例では、文字の形にあたる部分を黒とし、それ以外は、信号なしとしている。
【００１９】
ここで、文字の色や輝度を決めて、符号化したものを図５０に示し、図１の９に示す第三のメモリーに記憶される。例として種別０から４までを載せたもので、実際には、表現させたい種類ｎの数の表となる。種別０は、なし、種別１は、白、種別２は赤、種別３は濃い灰色、種別４は黒を示している。この種別を用いて、前述の図３の文字を表現したものを、図４に示し、図５１はこの文字の情報であり、図１の７で示されるメモリーに“文字０１”として記憶される。
【００２０】
図５は、縁取り付きの“１”という文字のマトリクスを示し、前述の例動揺に、対応する文字を当てはめたものが、図５４であり、この縁取り付き文字の情報は、図５２となり前述同様に、図１の７で示される第一のメモリーに“文字０２”として記憶されることになる。このようにして、表示する文字一つ一つに対して、どの様な文字なのかという情報を７のメモリーは記憶しておくことになる。また、各文字は、画面のどの位置から表示を開始するのかを示す必要があり、例えば図１8で示すように、画面左上からの水平位置Xと垂直位置Yという座標で特定することができる。例えば、VGAの画面の場合に、X軸６４０画素、Y軸４８０画素で構成されていて、X軸５５０、Y軸２４０の位置から表示をする例で、図１の８の第二のメモリーには、図５３に示すような前述したX,Yの位置情報、どの文字を表示させるのかを示す文字情報、それに図１の２で示す第一の合成手段を使用するのか、同図３で示す第二の合成手段を使用するのかの識別信号情報が記憶されており、６のマイコンから読み出される。
【００２１】
このようにして、６のマイコンは、８の第二のメモリーに示される位置に、７の第一のメモリーの表示すべき文字を、９の第三のメモリーにある文字の表現で、２の第一の合成器あるいは、３の第二の合成器のどちらかを用いて、映像信号に合成し、５の表示パネルに表示をすることになる。
【００２２】
次に、本発明での文字の設定方法について表示装置が載ったビデオカメラを用いて説明する。まず、従来例での設定の仕方から説明すると、ビデオカメラのメニューキーに相当する図１の１０の設定ボタンを押すと、図１００の画面が表示される。例としてこの中の“オーディオ設定”を設定ダイヤルを用いて選択し、設定ボタンを押すと、図１９の画面が表示される。例としてこの中の“オーディオ設定”を設定ダイヤルを用いて選択し、設定ボタンを押すと、図２０のようにオーディオ設定の項目が表示される。この中から、ウィンドカットの項目を再び選択し、設定すると、図２１のようにその設定状態を選択する画面が表示される。今、ウィンドカットの設定状態を“切”を選択して、設定ボタンを押すと、設定が完了して、図２２で示すような前画面に戻る。ここで、今度は、図２３の様に、“マイクATT”を選択し、設定ボタンを押すと、図２４で示されるような設定状態画面が表示され、これを“入”を選択してメニューから抜けると、図２５で示されるようにウィンドカットはオフ、マイクATTは“入”と今回設定はしなかったが、ディフォルトで設定されていたオーディオモードの12bitを示す文字が背景の映像情報に重畳されて表示されている。この状態で、使用者は、ウィンドカット機能は、使用しない設定とするが、時々確認できればよい程度の重要性とし、また、マイクATT機能は、途中で切り替えることが多く、その状態を確認しておきたい、また、オーディオモードの12bitは、モードとしてそれ以外を使用することがないと仮定する。その場合に、重要な表示は、マイクATTで、その他の重要度は低く、ましてや、12bitの表示は、無くても構わないくらいものであり、それを考慮すると、図２５の表示は、必要性の高いマイクATTの表示の存在感は、ウィンドカットのOFF表示よりも目立たない状態で、12bit不要な割には、映像信号の邪魔になっていると言える。
【００２３】
これに対して、本発明での設定方法について従来例と同様に説明する。ビデオカメラのメニューキーに相当する図１の１０の設定ボタンを押すと図２６のメニュー画面が表示され、前述同様にその中からオーディオ設定を選択すると、図２７の画面が表示される。その中のウィンドカットを選択し、設定ボタンを押すと図２８の画面になり、ここで設定を“切”を選択して設定ボタンを押すと、図２９の画面が表示される。この画面で、先述したようにこの使用者は、この設定に関して重要性が低いため、暗い文字を選択して設定ボタンを押すと図３０の一つ上位の画面に戻る。次に図３１のようにマイクATTを選択して、設定ボタンを押すと、図３２の表示に変わり、“入”を選択して設定ボタンを押すと、図３３が表示されその表示の仕方の設定画面に入る。ここで最優先を選択し、設定ボタンを押すと、図３４の画面に変わり、その色の選択画面に入る。この表示は重要確認文字として、設定しておきたいので、図３５の様に色を赤にして設定ボタンを押すと、設定が完了し、上位画面の図３６の様になる。次に、図３７の様にオーディオモードの設定を選択して設定ボタンを押すと、図３８の画面になり、１２ビットを選択して設定ボタンを押すと、図３９の画面に移る。この12bitの表示は、先述したように変えることがない設定なので、表示の中から、“しない”を選択してメニューから抜けると、図４０の様に、ウィンドカットは、図２５に比べて目立たない表示となっている。またマイクATTは、非常に目立つ表示となっており、文字を読まなくても赤色ということだけでも認識度が高く、12bit表示はない。
【００２４】
（実施例２）
本発明の第二の請求項に従って、第二に実施例を説明する。構成は実施例１と同様の図１の構成で、本発明での文字の設定方法について表示装置が載ったビデオカメラを用いて説明する。図６の設定ボタンで、メニュー画面を呼び出したのが、図４１で、その中の“表示設定”を選択し、設定ボタンを押すと図４２の様に表示設定に関する項目が表示される。その項目の中の “オンスクリーン”を見てみると、図４３で示されるように、現在は、“ディフォルト”になっている。設定を変更するために、“オンスクリーン”を選択し、設定ボタンを押すと、図４４に示す様に表示方法の選択画面になり、“設定１”を選択すると、図４５の様に表示文字一覧が表示される。今、その項目中の“ウィンドカット”を選択し、設定ボタンを押すと、図４６の様に、選択された“ウィンドカット”の表示文字が点滅し、どの表示なのかを使用者に通知した後、図４７の表示設定画面に移る。例として、“暗い”を選択し、メニュー画面から抜けると、図４８の様に、“ウィンドカットOFF”の文字表示が縁なしの暗い文字に変更される。以後、他の文字についても、同様な設定で、変更する。
【図面の簡単な説明】
【００２５】
【図１】本発明の全体のブロックを示す図である。
【図２】表示する文字のマトリックスを示す図である。
【図３】表示する文字のマトリックスに文字を入れた図である。
【図４】図３の文字の符号化をした図である。
【図５】表示する文字が縁取りが付いた文字の場合のマトリックスに文字を入れた図である。
【図６】映像信号を説明するための図である。
【図７】映像信号と表示パネルに映し出される映像を示す図である。
【図８】表示文字に相当する映像信号を示す図である。
【図９】映像信号と表示文字信号を図１０中の２で示す第一の合成器で合成した信号の図である。
【図１０】図９の信号を表示パネルに映した映像を示す図である。
【図１１】図６の信号と図８の信号を図１０中の３で示す第二の合成器で合成した信号を示す図である。
【図１２】図１１の信号を表示パネルに映した映像を示す図である。
【図１３】図６の映像信号に明るさの異なる文字信号を図１０中の２で示す第一の合成器で合成した信号を表示パネルに映した映像を示す図である。
【図１４】図６の映像信号に縁付きの明るさの異なる文字信号を図１０中の２で示す第一の合成器で合成した信号を表示パネルに映した映像を示す図である。
【図１５】図６の映像信号に文字の周りに色の台座を付けた文字信号を図１０中の２で示す第一の合成器で合成した信号を表示パネルに映した映像を示す図である。
【図１６】図６の映像信号に明るさの異なる文字信号を図１０中の３で示す第二の合成器で合成した信号を表示パネルに映した映像を示す図である。
【図１７】図１３から図１６までの文字信号を並べて比較した図である。
【図１８】パネル表示位置の定義を説明する図である。
【図１９】従来例のメニュー画面を示す図である。
【図２０】従来例のメニュー画面を示す図である。
【図２１】従来例のメニュー画面を示す図である。
【図２２】従来例のメニュー画面を示す図である。
【図２３】従来例のメニュー画面を示す図である。
【図２４】従来例のメニュー画面を示す図である。
【図２５】従来例の文字表示画面を示す図である。
【図２６】実施例１のメニュー画面を示す図である。
【図２７】実施例１のメニュー画面を示す図である。
【図２８】実施例１のメニュー画面を示す図である。
【図２９】実施例１のメニュー画面を示す図である。
【図３０】実施例１のメニュー画面を示す図である。
【図３１】実施例１のメニュー画面を示す図である。
【図３２】実施例１のメニュー画面を示す図である。
【図３３】実施例１のメニュー画面を示す図である。
【図３４】実施例１のメニュー画面を示す図である。
【図３５】実施例１のメニュー画面を示す図である。
【図３６】実施例１のメニュー画面を示す図である。
【図３７】実施例１のメニュー画面を示す図である。
【図３８】実施例１のメニュー画面を示す図である。
【図３９】実施例１のメニュー画面を示す図である。
【図４０】実施例１の文字表示画面を示す図である。
【図４１】実施例２のメニュー画面を示す図である。
【図４２】実施例２のメニュー画面を示す図である。
【図４３】実施例２のメニュー画面を示す図である。
【図４４】実施例２のメニュー画面を示す図である。
【図４５】実施例２のメニュー画面を示す図である。
【図４６】実施例２の表示方法変更前の文字表示画面を示す図である。
【図４７】実施例２のメニュー画面を示す図である。
【図４８】実施例２の表示方法変更後の文字表示画面を示す図である。
【図４９】輝度信号のレベルと輝度値を示す表である。
【図５０】実施例１の説明で用いる文字の種別を示す表である。
【図５１】実施例１の説明で用いる文字の種別０１のデータを示す表である。
【図５２】実施例１の説明で用いる文字の種別０２のデータを示す表である。
【図５３】実施例１の説明で用いる文字の種別０２のデータを示す表である。
【図５４】図５の文字を符号化した図である。
【符号の説明】
【００２６】
１  画像データ
２  第一の合成器
３  第二の合成器
４  表示ドライバー
５  表示パネル
６  マイコン
７  第一のメモリー
８  第二のメモリー
９  第三のメモリー
１０  操作ダイアルと操作ボタン
【図１】
2008009736.tif 000003
【図２】
2008009736.tif 000004
【図３】
2008009736.tif 000005
【図４】
2008009736.tif 000006
【図５】
2008009736.tif 000007
【図６】
2008009736.tif 000008
【図７】
2008009736.tif 000009
【図８】
2008009736.tif 000010
【図９】
2008009736.tif 000011
【図１０】
2008009736.tif 000012
【図１１】
2008009736.tif 000013
【図１２】
2008009736.tif 000014
【図１３】
2008009736.tif 000015
【図１４】
2008009736.tif 000016
【図１５】
2008009736.tif 000017
【図１６】
2008009736.tif 000018
【図１７】
2008009736.tif 000019
【図１８】
2008009736.tif 000020
【図１９】
2008009736.tif 000021
【図２０】
2008009736.tif 000022
【図２１】
2008009736.tif 000023
【図２２】
2008009736.tif 000024
【図２３】
2008009736.tif 000025
【図２４】
2008009736.tif 000026
【図２５】
2008009736.tif 000027
【図２６】
2008009736.tif 000028
【図２７】
2008009736.tif 000029
【図２８】
2008009736.tif 000030
【図２９】
2008009736.tif 000031
【図３０】
2008009736.tif 000032
【図３１】
2008009736.tif 000033
【図３２】
2008009736.tif 000034
【図３３】
2008009736.tif 000035
【図３４】
2008009736.tif 000036
【図３５】
2008009736.tif 000037
【図３６】
2008009736.tif 000038
【図３７】
2008009736.tif 000039
【図３８】
2008009736.tif 000040
【図３９】
2008009736.tif 000041
【図４０】
2008009736.tif 000042
【図４１】
2008009736.tif 000043
【図４２】
2008009736.tif 000044
【図４３】
2008009736.tif 000045
【図４４】
2008009736.tif 000046
【図４５】
2008009736.tif 000047
【図４６】
2008009736.tif 000048
【図４７】
2008009736.tif 000049
【図４８】
2008009736.tif 000050
【図４９】
2008009736.tif 000051
【図５０】
2008009736.tif 000052
【図５１】
2008009736.tif 000053
【図５２】
2008009736.tif 000054
【図５３】
2008009736.tif 000055
【図５４】
2008009736.tif 000056